(57)【要約】【課題】この発明は、ストリームからその管理情報を容易に復元することを可能とした情報記録装置及び情報記録方法を提供することを目的としている。【解決手段】入力された映像信号からＤＶＤ−ＶＲ規格に準拠したストリームとその管理情報とを生成し、管理情報のうちのＶＯＢＵ＿ＥＮＴをストリーム中のＲＤＩ＿ＰＣＫのＭＮＦＩ領域に配置する。そして、ＶＯＢＵ＿ＥＮＴがＲＤＩ＿ＰＣＫのＭＮＦＩ領域に配置されたストリームと管理情報とを記録媒体２５ａ，２６に記録する。【選択図】    図８
2005108316.tif 000002
【特許請求の範囲】
【請求項１】
映像信号を受信する手段と、
受信した映像信号からＤＶＤ−ＶＲ規格に準拠した複数のＶＯＢＵを連続させて構成されるストリームを生成する手段と、
生成されたストリームの管理情報を生成する手段と、
生成された管理情報の一部を、前記ストリームを構成する複数のＶＯＢＵ中のリザーブ領域にそれぞれ配置する手段と、
前記管理情報の一部が配置されたストリームと前記管理情報とを記録媒体に記録する手段とを具備したことを特徴とする情報記録装置。
【請求項２】
前記ストリームを構成する複数のＶＯＢＵ中のリザーブ領域にそれぞれ配置される前記管理情報の一部は、前記ストリーム中から特定のデータを検索するためのナビゲーション情報であることを特徴とする請求項１記載の情報記録装置。
【請求項３】
前記ストリームを構成する複数のＶＯＢＵ中のリザーブ領域にそれぞれ配置される前記管理情報の一部は、所定の演算処理を施すことによって前記管理情報の他の部分を復元可能であることを特徴とする請求項１または２記載の情報記録装置。
【請求項４】
前記管理情報の一部が配置される前記ＶＯＢＵ中のリザーブ領域は、ＤＶＤ−ＶＲ規格に準拠したＲＤＩ＿ＰＣＫのＭＮＦＩ領域であることを特徴とする請求項１乃至３いずれかに記載の情報記録装置。
【請求項５】
前記ストリームを構成する複数のＶＯＢＵ中のリザーブ領域にそれぞれ配置される前記管理情報の一部は、ＤＶＤ−ＶＲ規格に準拠したＶＯＢＵ＿ＥＮＴを構成する情報であることを特徴とする請求項１乃至４いずれかに記載の情報記録装置。
【請求項６】
映像信号を受信する手段と、
受信した映像信号からＤＶＤ−ＶＲ規格に準拠した複数のＶＯＢＵを連続させて構成されるストリームを生成する手段と、
生成されたストリームの管理情報を生成する手段と、
生成された管理情報のうちのＶＯＢＵ＿ＥＮＴを、前記ストリームを構成する複数のＶＯＢＵ中のＲＤＩ＿ＰＣＫのＭＮＦＩ領域にそれぞれ配置する手段と、
前記ＶＯＢＵ＿ＥＮＴがＲＤＩ＿ＰＣＫのＭＮＦＩ領域に配置されたストリームと前記管理情報とを記録媒体に記録する手段とを具備したことを特徴とする情報記録装置。
【請求項７】
前記ストリームを構成する複数のＶＯＢＵ中のＲＤＩ＿ＰＣＫのＭＮＦＩ領域にそれぞれ配置された前記ＶＯＢＵ＿ＥＮＴは、１ＳＴＲＥＦ＿ＳＺ、ＶＯＢＵ＿ＰＢ＿ＴＭ及びＶＯＢＵ＿ＳＺを含むことを特徴とする請求項６記載の情報記録装置。
【請求項８】
映像信号を受信する手段と、
受信した映像信号からＤＶＤ−ＶＲ規格に準拠した複数のＶＯＢＵを連続させて構成されるストリームを生成する手段と、
生成されたストリームの管理情報を生成する手段と、
生成された管理情報の一部を、前記ストリームを構成する複数のＶＯＢＵ中のリザーブ領域にそれぞれ配置する手段と、
前記管理情報の一部が配置されたストリームと前記管理情報とを記録媒体に記録する手段と、
前記記録媒体から記録されている前記ストリームを再生する手段と、
再生されたストリームを構成する複数のＶＯＢＵのリザーブ領域からそれぞれ前記管理情報の一部を取り出す手段と、
取り出された前記管理情報の一部に所定の演算処理を施して、前記管理情報の他の部分を復元する手段とを具備したことを特徴とする情報記録装置。
【請求項９】
前記ストリームを構成する複数のＶＯＢＵ中のリザーブ領域からそれぞれ取り出された前記管理情報の一部と、復元された前記管理情報の他の部分とを、前記記録媒体の前記管理情報が記録される領域に記録する手段を具備したことを特徴とする請求項８記載の情報記録装置。
【請求項１０】
前記ストリームを構成する複数のＶＯＢＵ中のリザーブ領域からそれぞれ取り出された前記管理情報の一部と、復元された前記管理情報の他の部分とは、前記ストリーム中から特定のデータを検索するためのナビゲーション情報であることを特徴とする請求項８または９記載の情報記録装置。
【請求項１１】
前記ストリームを構成する複数のＶＯＢＵ中のリザーブ領域からそれぞれ取り出された前記管理情報の一部は、ＤＶＤ−ＶＲ規格に準拠したＶＯＢＵ＿ＥＮＴであり、復元された前記管理情報の他の部分は、前記ＤＶＤ−ＶＲ規格に準拠したＴＭ＿ＥＮＴであることを特徴とする請求項８乃至１０いずれかに記載の情報記録装置。
【請求項１２】
映像信号を受信する手段と、
受信した映像信号からＤＶＤ−ＶＲ規格に準拠した複数のＶＯＢＵを連続させて構成されるストリームを生成する手段と、
生成されたストリームの管理情報を生成する手段と、
生成された管理情報のうちのＶＯＢＵ＿ＥＮＴを、前記ストリームを構成する複数のＶＯＢＵ中のＲＤＩ＿ＰＣＫのＭＮＦＩ領域にそれぞれ配置する手段と、
前記ＶＯＢＵ＿ＥＮＴがＲＤＩ＿ＰＣＫのＭＮＦＩ領域に配置されたストリームと前記管理情報とを記録媒体に記録する手段と、
前記記録媒体から記録されている前記ストリームを再生する手段と、
再生されたストリームを構成する複数のＶＯＢＵ中のＲＤＩ＿ＰＣＫのＭＮＦＩ領域から前記ＶＯＢＵ＿ＥＮＴを取り出す手段と、
取り出された前記ＶＯＢＵ＿ＥＮＴに所定の演算処理を施して、ＴＭ＿ＥＮＴを復元する手段とを具備したことを特徴とする情報記録装置。
【請求項１３】
映像信号を受信する工程と、
受信した映像信号からＤＶＤ−ＶＲ規格に準拠した複数のＶＯＢＵを連続させて構成されるストリームを生成する工程と、
生成されたストリームの管理情報を生成する工程と、
生成された管理情報の一部を、前記ストリームを構成する複数のＶＯＢＵ中のリザーブ領域にそれぞれ配置する工程と、
前記管理情報の一部が配置されたストリームと前記管理情報とを記録媒体に記録する工程とを具備したことを特徴とする情報記録方法。
【請求項１４】
映像信号を受信する工程と、
受信した映像信号からＤＶＤ−ＶＲ規格に準拠した複数のＶＯＢＵを連続させて構成されるストリームを生成する工程と、
生成されたストリームの管理情報を生成する工程と、
生成された管理情報の一部を、前記ストリームを構成する複数のＶＯＢＵ中のリザーブ領域にそれぞれ配置する工程と、
前記管理情報の一部が配置されたストリームと前記管理情報とを記録媒体に記録する工程と、
前記記録媒体から記録されている前記ストリームを再生する工程と、
再生されたストリームを構成する複数のＶＯＢＵ中のリザーブ領域から前記管理情報の一部を取り出す工程と、
取り出された前記管理情報の一部に所定の演算処理を施して、前記管理情報の他の部分を復元する工程とを具備したことを特徴とする情報記録方法。
【発明の詳細な説明】
【技術分野】
【０００１】
この発明は、例えば映像及び音声等のストリームとその管理情報とを記録媒体に記録する情報記録装置及び情報記録方法の改良に関する。
【背景技術】
【０００２】
周知のように、近年では、情報の高密度記録技術が促進されており、片面１層に４．７ＧＢ（Giga Byte）もの記録容量を有する光ディスクが実用化されている。
【０００３】
この光ディスクとしては、例えば、再生専用のＤＶＤ−ＲＯＭ（Digital Versatile Disk−Read Only Memory）、書き替え可能なＤＶＤ−ＲＡＭ（Random Access Memory）、ＤＶＤ−ＲＷ（Rewritable）、＋ＲＷ、追記可能なＤＶＤ−Ｒ（Recordable）等がある。
【０００４】
そして、この光ディスクにあっては、映像及び音声等のストリームが記録される際に、その管理情報が生成されて記録されるようになっており、再生時には、この管理情報に基づいて、ストリームの再生や検索等が行なわれることになる。
【０００５】
ところで、ストリームとその管理情報とは、それぞれが独立した異なるファイルとして光ディスクに記録されている。このため、ユーザは、光ディスクからストリームのみをＰＣ（Personal Computer）等に取り込んで編集作業を行ない、編集後のストリームに光ディスクを書き替えることが可能となる。
【０００６】
このような使用形態を考慮した場合、光ディスク上において、ストリームとその管理情報という異なる２つのファイルの整合性を常時確保することは非常に困難になる。このように、ストリームとその管理情報との整合性を確保することができないということは、光ディスク上で管理情報が失われストリームのみが存在しているのと同じ状態である。
【０００７】
特許文献１には、ＡＶデータを記録媒体に記録している最中に、ファイル管理情報が壊れるかまたは失われた場合、既に記録済みのＡＶデータにアクセスできるようにファイル管理情報を修復または生成するようにした構成が開示されている。
【０００８】
しかしながら、この特許文献１では、記録媒体に記録されたＡＶデータを、その先頭の記録ブロックから全て再生していくことによって、ファイル管理情報を修正または生成する構成であるため、作業が煩雑で時間を要するという問題が生じる。
【特許文献１】特開２００１−１４３４３９号公報
【発明の開示】
【発明が解決しようとする課題】
【０００９】
そこで、この発明は上記事情を考慮してなされたもので、ストリームからその管理情報を容易に復元することを可能とした情報記録装置及び情報記録方法を提供することを目的とする。
【課題を解決するための手段】
【００１０】
この発明に係る情報記録装置は、映像信号を受信する手段と、受信した映像信号からＤＶＤ−ＶＲ規格に準拠した複数のＶＯＢＵを連続させて構成されるストリームを生成する手段と、生成されたストリームの管理情報を生成する手段と、生成された管理情報の一部を、ストリームを構成する複数のＶＯＢＵ中のリザーブ領域にそれぞれ配置する手段と、管理情報の一部が配置されたストリームと管理情報とを記録媒体に記録する手段とを備えるようにしたものである。
【００１１】
この発明に係る情報記録方法は、映像信号を受信する工程と、受信した映像信号からＤＶＤ−ＶＲ規格に準拠した複数のＶＯＢＵを連続させて構成されるストリームを生成する工程と、生成されたストリームの管理情報を生成する工程と、生成された管理情報の一部を、ストリームを構成する複数のＶＯＢＵ中のリザーブ領域にそれぞれ配置する工程と、管理情報の一部が配置されたストリームと管理情報とを記録媒体に記録する工程とを備えるようにしたものである。
【発明の効果】
【００１２】
上記した構成及び方法によれば、ストリームを構成する複数のＶＯＢＵ中のリザーブ領域に管理情報の一部をそれぞれ配置し、そのストリームと管理情報とを記録媒体に記録するようにしたので、ストリームからその管理情報を容易に復元することが可能となる。
【発明を実施するための最良の形態】
【００１３】
以下、この発明の実施の形態について図面を参照して詳細に説明する。図１は、この実施の形態で説明する光ディスク装置１１の外観を示している。すなわち、光ディスク装置１１は、略薄型の箱状に形成されたキャビネット１２を有している。
【００１４】
キャビネット１２の前面パネル１３には、その中央部に、ディスクドライブ部１４が設置されている。ディスクドライブ部１４は、後述する光ディスクを着脱可能に構成され、装着された光ディスクに対して情報の記録再生を行なう機能を有している。
【００１５】
また、上記キャビネット１２の前面パネル１３には、その一端部に電源キー１５が設置されている。また、前面パネル１３の他端部には、動作状態及び設定状態等を表示するための表示部１６、光ディスク装置１１を所定の動作状態や停止状態に設定するための操作部１７等が設置されている。
【００１６】
図２は、上記光ディスク装置１１の信号処理系を示している。すなわち、アンテナ１８で受信されたテレビジョン放送信号は、チューナ部１９に供給されて所定の放送チャンネルのテレビジョン信号が選局される。
【００１７】
チューナ部１９で選局されたテレビジョン信号は、映像Ａ／Ｄ（Analog／Digital）変換回路２０及び音声Ａ／Ｄ変換回路２１に供給されて、映像信号及び音声信号がそれぞれデジタル化される。
【００１８】
また、外部入力端子２２から入力された映像信号及び音声信号も、映像Ａ／Ｄ変換回路２０及び音声Ａ／Ｄ変換回路２１に供給されてそれぞれデジタル化される。
【００１９】
映像Ａ／Ｄ変換回路２０及び音声Ａ／Ｄ変換回路２１によってデジタル化された映像信号及び音声信号は、ＭＰＥＧ（Moving Picture Experts Group）エンコーダ２３に供給される。
【００２０】
ＭＰＥＧエンコーダ２３は、入力された映像信号及び音声信号を、ＤＶＤ−ＶＲ（Video Recording）規格に準拠したＭＰＥＧ２形式のストリームに変換するとともに、その管理情報を生成している。
【００２１】
ＭＰＥＧエンコーダ２３から出力されたストリームとその管理情報とは、記録再生制御回路２４に供給される。記録再生制御回路２４は、入力されたストリームとその管理情報とを、ＨＤＤ（Hard Disk Drive）部２５を制御してハードディスク２５ａに記録させる機能を有する。
【００２２】
また、記録再生制御回路２４は、入力されたストリームとその管理情報とを、前記ディスクドライブ部１４を制御して、そこに装着されているＤＶＤ−ＲＡＭ等の光ディスク２６に記録させる機能を有する。
【００２３】
この場合、ＭＰＥＧエンコーダ２３から出力されたストリーム及び管理情報は、ハードディスク２５ａにのみ記録させること、光ディスク２６にのみ記録させること、ハードディスク２５ａと光ディスク２６との両方に記録させることが選択可能である。
【００２４】
一方、記録再生制御回路２４は、ＨＤＤ部２５を制御して、ハードディスク２５ａから管理情報に基づいてストリームを読み出させる機能を有している。また、記録再生制御回路２４は、ディスクドライブ部１４を制御して、光ディスク２６から管理情報に基づいてストリームを読み出させる機能を有している。
【００２５】
この場合、ハードディスク２５ａからのストリームの読み出しと、光ディスク２６からのストリームの読み出しとは、いずれか一方が選択可能となっている。そして、ハードディスク２５ａまたは光ディスク２６から読み出されたストリームは、記録再生制御回路２４を介してＭＰＥＧデコーダ２７に供給される。
【００２６】
ＭＰＥＧデコーダ２７は、入力されたストリームに対してＭＰＥＧ２形式に対応したデコード処理を施し、デジタル化された映像信号と音声信号とを出力する。このうち、映像信号は、映像エンコーダ２８に供給されて所定のエンコード処理が施された後、映像出力端子２９を介して外部に導出可能となっている。
【００２７】
また、ＭＰＥＧデコーダ２７から出力されたデジタル音声信号は、音声Ｄ／Ａ（Digital／Analog）変換回路３０に供給されてアナログ化された後、音声出力端子３１を介して外部に導出可能となっている。
【００２８】
なお、上記記録再生制御回路２４は、ハードディスク２５ａに記録されている情報を読み取って光ディスク２６に記録させるように、または、光ディスク２６に記録されている情報を読み取ってハードディスク２５ａに記録させるように、ＨＤＤ部２５及びディスクドライブ部１４を制御する機能等も有している。
【００２９】
ここで、上記した一連の記録再生動作は、ＣＰＵ（Central Processing Unit）３２によって統括的に制御されている。ＣＰＵ３２は、ＲＯＭ３３に格納された制御プログラムに基づき、ＲＡＭ３４をワークエリアとして使用しながら、前記操作部１７の操作内容を反映させるように、各回路を制御している。
【００３０】
また、ＣＰＵ３２には、予約記録機能等のために時間情報を得るためのタイマ３５、入出力端子３６に外部のＰＣ等を接続してデータ通信を行なうためのインターフェース回路３７が接続されている。
【００３１】
図３は、上記ＤＶＤ−ＶＲ規格のＭ＿ＶＯＢＩ（Movie Video Object Information）に関する部分のデータ構造を示している。すなわち、光ディスク装置１１が記録処理を実行する際、記録するストリームに関する情報は、ＶＲ＿ＭＡＮＧＲ．ＩＦＯというファイル名の管理情報ファイルの中のＭ＿ＶＯＢＩという情報に保存される。
【００３２】
Ｍ＿ＶＯＢＩには、Ｍ＿ＶＯＢＩの全体に関する情報Ｍ＿ＶＯＢ＿ＧＩ（Movie Video Object General Information）、直前のＭ＿ＶＯＢＩとのシームレス再生のために必要な情報ＳＭＬＩ（Seamless Information）、オーディオギャップを記述する情報ＡＧＡＰＩ（Audio Gap Information）、タイムマップを保存する領域の情報ＴＭＡＰＩ（Time Map Information）等が含まれている。
【００３３】
ＴＭＡＰＩには、全般情報ＴＭＡＰ＿ＧＩ（Time Map General Information）、タイムエントリィ情報ＴＭ＿ＥＮＴ（Time Entry）＃１〜＃ｍ、ＶＯＢＵエントリィ情報ＶＯＢＵ＿ＥＮＴ（Video Object Unit Entry）＃１〜＃ｎ等が含まれている。
【００３４】
図４は、上記タイムマップ（ＴＭＡＰ）情報の中のタイムエントリィ情報ＴＭ＿ＥＮＴの詳細を示している。ＴＭ＿ＥＮＴは、ＮＴＳＣ（National Television System Committee）方式の場合６００フィールド毎、ＰＡＬ（Phase Alternation by Line color television）方式の場合５００フィールド毎に１つ設けられる情報である。
【００３５】
ＴＭ＿ＥＮＴには、該当ＴＭ＿ＥＮＴの位置に存在するＶＯＢＵ＿ＥＮＴの番号を記述したＶＯＢＵ＿ＥＮＴＮ（Video Object Unit Entry Number）、そのＶＯＢＵ先頭からＴＭ＿ＥＮＴ位置までのずれをフィールド数で表わしたＴＭ＿ＤＩＦＦ（Time Difference）、そのＶＯＢＵのＭ＿ＶＯＢＩ先頭からの位置を論理ブロック（logical block）数で表わしたＶＯＢＵ＿ＡＤＲ（Video Object Unit Address）等が含まれている。
【００３６】
図５は、上記タイムマップ（ＴＭＡＰ）情報の中のＶＯＢＵエントリィ情報ＶＯＢＵ＿ＥＮＴの詳細を示している。ＶＯＢＵ＿ＥＮＴには、該当ＶＯＢＵの先頭のフレーム内符号化フレームであるＩ（Intra−coded）ピクチャのサイズを論理ブロック数で記した１ＳＴＲＥＦ＿ＳＺ（First Reference Size）、該当ＶＯＢＵの再生時間をフィールド数で記したＶＯＢＵ＿ＰＢ＿ＴＭ（Video Object Unit Playback Time）、該当ＶＯＢＵのサイズを論理ブロック数で記したＶＯＢＵ＿ＳＺ（Video Object Unit Size）等が含まれている。
【００３７】
ＶＯＢＵ＿ＥＮＴは、順方向スキップ再生や逆再生等の特殊再生を行なう際に、ストリームの内部を解析することなく目的のＩピクチャを検索するためのナビゲーション情報として利用される。
【００３８】
図６は、ＴＭ＿ＥＮＴとＶＯＢＵ＿ＥＮＴとの関係を示している。ＴＭ＿ＥＮＴの情報は、ＶＯＢＵ＿ＥＮＴの情報があれば全て計算によって算出することが可能である。ＶＯＢＵ＿ＥＮＴＮは、ＴＭ＿ＥＮＴの間隔が一定であることから、ＶＯＢＵ＿ＥＮＴのＶＯＢＵ＿ＰＢ＿ＴＭを足し合わせてＴＭＵを超えるＶＯＢＵ＿ＥＮＴの番号として求めることができる。
【００３９】
ＴＭ＿ＤＩＦＦは、このＶＯＢＵ＿ＰＢ＿ＴＭの合計値がＴＭＵの値を超えた差分である。ＶＯＢＵ＿ＡＤＲは、ＶＯＢＵ＿ＳＺをＭ＿ＶＯＢＩの先頭から加算することにより算出することができる。つまり、ＴＭ＿ＥＮＴの情報は、ＶＯＢＵ＿ＥＮＴの情報が全て揃えば計算によって算出することができる。
【００４０】
ところで、ＴＭＡＰ情報は、ＤＶＤ−ＶＲ規格のストリームのどの位置にＩピクチャが存在するかを高速に検索するための情報であり、ストリームデータとＴＭＡＰデータとの間に不整合があってはならない。
【００４１】
一方、光ディスク装置１１の入出力端子３６にＰＣを接続し、光ディスク装置１１とＰＣとを連携させることを考える。例えば、ハードディスク２５ａまたは光ディスク２６に記録されているストリームデータをＰＣに転送して編集し、編集されたストリームデータで元のハードディスク２５ａまたは光ディスク２６を書き替えるという作業を行なうことを考える。
【００４２】
この場合、ＤＶＤ−ＶＲ規格に準拠させるためには、ストリームデータのみでなく、ＩＦＯファイル内に記述されている管理情報も同時にＰＣに転送して、編集内容に対応させて書き替えを行なう必要がある。
【００４３】
しかしながら、ＰＣというユーザにとって自由度の高いシステムにストリームデータを転送可能とした場合、ストリームデータとその管理情報との整合性を常に確実に保たせるようにすることは、実際上困難である。
【００４４】
すなわち、ストリームデータとその管理情報とが不一致になることは、予め想定しておくべきことであり、ＰＣから光ディスク装置１１にストリームデータを戻す際には、ストリームデータのみから管理情報を生成し得る仕組みを用意する必要がある。
【００４５】
図７は、ＤＶＤ−ＶＲ規格におけるストリームの一般的な構造を示している。図７に示す例では、ストリームが、所定の情報量でなるＶＯＢＵという単位情報を複数連続させて構成している。そして、１ＶＯＢＵは１ＧＯＰ（Group Of Pictures）で構成されており、１ＧＯＰは１５ピクチャから成り立っている。
【００４６】
ＶＯＢＵの先頭には、ＲＤＩ＿ＰＣＫが記されており、その後にＩピクチャのパケットが記録されている。別に音声パケット及び副映像パケット等も存在するが、ここでは簡単のために省略している。
【００４７】
図５に示したＶＯＢＵ＿ＥＮＴが含む１ＳＴＲＥＦ＿ＳＺ、ＶＯＢＵ＿ＰＢ＿ＴＭ、ＶＯＢＵ＿ＳＺの各情報が表わす部分を、それぞれ図７に示している。１ＳＴＲＥＦ＿ＳＺは、Ｉピクチャのサイズを論理ブロック数で表わしたものである。
【００４８】
ＶＯＢＵ＿ＰＢ＿ＴＭは、１ＶＯＢＵ（１５ピクチャ）の再生時間をフィールド数で表わしたもので、この場合、３０フィールドとなる。ＶＯＢＵ＿ＳＺは、１ＶＯＢＵのサイズを論理ブロック数で表わしたものである。
【００４９】
ところで、１ＳＴＲＥＦ＿ＳＺ、ＶＯＢＵ＿ＰＢ＿ＴＭ、ＶＯＢＵ＿ＳＺの各情報は、ストリームの内部を解析すれば生成することができるものであるが、そのためには少なくともストリームの全パケットのヘッダ部分を読み取る必要があり、処理が煩雑で多大な時間を要することになる。
【００５０】
そこで、この実施の形態では、ストリームからその管理情報、特にＶＯＢＵ＿ＥＮＴの情報を高速に再生することができるようにしている。このために、前記ＭＰＥＧエンコーダ２３がエンコード処理を行なう際、ＶＯＢＵ＿ＥＮＴを構成する１ＳＴＲＥＦ＿ＳＺ、ＶＯＢＵ＿ＰＢ＿ＴＭ、ＶＯＢＵ＿ＳＺの３つの情報を、ＲＤＩ＿ＰＣＫ内に挿入するようにしている。
【００５１】
図８は、ＭＰＥＧエンコーダ２３が生成したＲＤＩ＿ＰＣＫの内容を示している。すなわち、ＲＤＩ＿ＰＣＫの先頭からＤＣＩ＿ＣＣＩまでは、備考覧に示されているように、ＤＶＤ−ＶＲ規格で規定された情報である。
【００５２】
また、ＭＮＦＩ（Manufacturer’s Information）の部分は、光ディスク装置１１側で任意のデータを記述することができるリザーブ領域である。このリザーブ領域に記録されている情報のうち、ＭＮＦ＿ＩＤからＰＩＣ＿ＬＥＮＧＴＨ１４までは、備考覧に示されているように、本件と同一出願人による特許出願［特願２００１−３４５３０３（特開２００３−１５１２１５号公報）］で提案された情報である。
【００５３】
この情報の後に、備考欄に本実施の形態と示しているように、ＶＯＢＵ＿ＥＮＴを構成する１ＳＴＲＥＦ＿ＳＺ、ＶＯＢＵ＿ＰＢ＿ＴＭ、ＶＯＢＵ＿ＳＺの３つの情報が記述されている。
【００５４】
図９は、記録時に、ＭＰＥＧエンコーダ２３によって、ＲＤＩ＿ＰＣＫ内にＶＯＢＵ＿ＥＮＴを構成する１ＳＴＲＥＦ＿ＳＺ、ＶＯＢＵ＿ＰＢ＿ＴＭ、ＶＯＢＵ＿ＳＺの各情報を配置する動作をまとめたフローチャートを示している。
【００５５】
すなわち、処理が開始（ステップＳ１）されると、ＭＰＥＧエンコーダ２３は、ステップＳ２で、入力された映像信号から１ＧＯＰをエンコードし、ステップＳ３で、ＴＭ＿ＥＭＴの情報を生成し、ステップＳ４で、ＶＯＢＵ＿ＥＮＴの情報を生成し、ステップＳ５で、ＲＤＩ＿ＰＣＫを生成する。
【００５６】
そして、ＭＰＥＧエンコーダ２３は、ステップＳ６で、ＲＤＩ＿ＰＣＫの指定位置にＶＯＢＵ＿ＥＮＴを構成する１ＳＴＲＥＦ＿ＳＺ、ＶＯＢＵ＿ＰＢ＿ＴＭ、ＶＯＢＵ＿ＳＺの各情報を配置する。
【００５７】
その後、ＭＰＥＧエンコーダ２３は、ステップＳ７で、１ＧＯＰの先頭にＲＤＩ＿ＰＤＫを挿入し、ステップＳ８で、エンコード処理が完了したか否かを判別し、完了していない場合（ＮＯ）、ステップＳ２の処理に戻され、エンコード処理が完了している場合（ＹＥＳ）、処理を終了（ステップＳ９）する。
【００５８】
このようにして、ＭＰＥＧエンコーダ２３で生成されたストリームが、記録再生制御回路２４を介した後、ＨＤＤ部２５によりハードディスク２５ａに記録されたり、ディスクドライブ部１４により光ディスク２６に記録されたりする。
【００５９】
なお、この場合、ＭＰＥＧエンコーダ２３で生成されたＴＭ＿ＥＭＴ及びＶＯＢＵ＿ＥＮＴ等の各種管理情報が、ハードディスク２５ａや光ディスク２６の管理領域にも記録されることは従前の通りである。
【００６０】
図１０は、ハードディスク２５ａや光ディスク２６に記録されたストリームから、ＴＭ＿ＥＭＴの各情報を復元する動作をまとめたフローチャートを示している。すなわち、処理が開始（ステップＳ１０）されると、ＣＰＵ３２は、ステップＳ１１で、ストリームの先頭にファイルポインタをシークさせる。
【００６１】
そして、ＣＰＵ３２は、ステップＳ１２で、先頭の１セクタ（＝１論理ブロック＝２０４８バイト）のデータを読み取り、ステップＳ１３で、読み取ったデータがＲＤＩ＿ＰＣＫであるか否かを判別し、ＲＤＩ＿ＰＣＫでないと判断された場合（ＮＯ）、ＴＭ＿ＥＭＴの復元処理を終了（ステップＳ１９）する。
【００６２】
また、読み取ったデータがＲＤＩ＿ＰＣＫであると判断された場合（ＹＥＳ）、ＣＰＵ３２は、ステップＳ１４で、ＲＤＩ＿ＰＤＫから１ＳＴＲＥＦ＿ＳＺ、ＶＯＢＵ＿ＰＢ＿ＴＭ、ＶＯＢＵ＿ＳＺの各情報を読み取り、ステップＳ１５で、ＶＯＢＵ＿ＥＮＴを作成し保存する。
【００６３】
その後、ＣＰＵ３２は、ステップＳ１６で、ストリームが終了したか否かを判別し、終了していないと判断された場合（ＮＯ）、次のＲＤＩ＿ＰＣＫが（ＶＯＢＵ＿ＳＺ＋１）セクタ先の位置にあるので、ステップＳ１７で、ファイルを（ＶＯＢＵ＿ＳＺ＋１）セクタだけシークさせて、ステップＳ１２の処理に戻される。
【００６４】
このように、ステップＳ１２からステップＳ１７までの動作を、ストリームが終了するまで繰り返すことにより、そのストリーム内の全てのＶＯＢＵ＿ＥＮＴを読み取ることができる。
【００６５】
そして、ステップＳ１６でストリームが終了したと判断された場合（ＹＥＳ）、ＣＰＵ３２は、ステップＳ１８で、既に取得しているＶＯＢＵ＿ＥＮＴの各情報から、ＴＭ＿ＥＮＴを構成するＶＯＢＵ＿ＥＮＴＮ、ＴＭ＿ＤＩＦＦ、ＶＯＢＵ＿ＡＤＲの各情報を計算によって復元し、処理を終了（ステップＳ１９）する。
【００６６】
このようにして復元されたＶＯＢＵ＿ＥＮＴ及びＴＭ＿ＥＮＴ等の各管理情報は、ストリームを記録したハードディスク２５ａや光ディスク２６の管理領域に記録され、ストリームの再生に利用される。
【００６７】
例えば、ハードディスク２５ａに記録されているストリームをＰＣに転送して編集し、編集後のストリームをハードディスク２５ａに再記録する場合、編集後のストリームをハードディスク２５ａのデータ領域に記録するだけでなく、そのストリームからＶＯＢＵ＿ＥＮＴを読み取り、上記のようにＴＭ＿ＥＮＴを復元して、これらＶＯＢＵ＿ＥＮＴ及びＴＭ＿ＥＮＴをハードディスク２５ａの管理領域に記録している。
【００６８】
そして、ハードディスク２５ａに再記録されたストリームに対して特殊再生を行なう場合には、ハードディスク２５ａの管理領域に書き込まれている、復元されたＶＯＢＵ＿ＥＮＴ及びＴＭ＿ＥＮＴを利用するようにしている。
【００６９】
図１１は、ストリームのＲＤＩ＿ＰＣＫから読み取ったＶＯＢＵ＿ＥＮＴに基づいてＴＭ＿ＥＮＴを生成する動作をまとめたフローチャートを示している。すなわち、処理が開始（ステップＳ２０）されると、ＣＰＵ３２は、ステップＳ２１で、ＶＯＢＵ＿ＥＮＴＮ＝１、ＴＭ＿ＤＩＦＦ＝０、ＶＯＢＵ＿ＡＤＲ＝０としてＴＭ＿ＥＮＴ＃１を作成する。
【００７０】
その後、ＣＰＵ３２は、ステップＳ２２で、ｎを＋１して、ステップＳ２３で、ＶＯＢＵ＿ＥＮＴ＃ｎのＶＯＢＵ＿ＰＢ＿ＴＭを累積加算する処理を行なうとともに、ＶＯＢＵ＿ＳＺを累積加算する処理を実行する。
【００７１】
そして、ＣＰＵ３２は、ステップＳ２４で、ＶＯＢＵ＿ＰＢ＿ＴＭの和が、ＮＴＳＣ方式におけるＴＭ＿ＥＮＴの間隔である６００フィールド以上であるか否かを判別し、６００フィールド以上でないと判断された場合（ＮＯ）、ステップＳ２２の処理に戻される。
【００７２】
また、ステップＳ２４でＶＯＢＵ＿ＰＢ＿ＴＭの和が６００フィールド以上であると判断された場合（ＹＥＳ）、ＣＰＵ３２は、ステップＳ２５で、ｍを＋１して、ステップＳ２６で、ＴＭ＿ＥＮＴ＃ｍを作成する。
【００７３】
この場合、ＴＭ＿ＥＮＴ＃ｍは、
ＶＯＢＵ＿ＥＮＴＮ＝ｎ
ＴＭ＿ＤＩＦＦ＝（ＶＯＢＵ＿ＰＢ＿ＴＭの和）−６００
ＶＯＢＵ＿ＡＤＲ＝ＶＯＢＵ＿ＳＺの和
として算出される。
【００７４】
その後、ＣＰＵ３２は、ステップＳ２７で、ＶＯＢＵ＿ＥＮＴが終了したか否かを判別し、終了していないと判断された場合（ＮＯ）、ステップＳ２２の処理に戻され、終了したと判断された場合（ＹＥＳ）、処理を終了（ステップＳ２８）する。
【００７５】
上記した実施の形態によれば、ストリームのＲＤＩ＿ＰＣＫに、ＶＯＢＵ＿ＥＮＴを構
成する１ＳＴＲＥＦ＿ＳＺ、ＶＯＢＵ＿ＰＢ＿ＴＭ、ＶＯＢＵ＿ＳＺの各情報を記録して
おくようにしたので、ストリームの全パケットのヘッダ部分を読み取ることなく、ＶＯＢＵ＿ＥＮＴからＴＭ＿ＥＮＴを構成するＶＯＢＵ＿ＥＮＴＮ、ＴＭ＿ＤＩＦＦ、ＶＯＢＵ＿ＡＤＲの各情報を算出することができ、ストリームからその管理情報を容易に復元することが可能となる。
【００７６】
ここで、上記したＴＭ＿ＥＮＴの復元処理は、ハードディスク２５ａや光ディスク２６の管理領域に記録された管理情報が、ストリームと不整合になった場合、つまり、管理領域の管理情報が失われた場合にのみ行なうようにすれば実用的である。
【００７７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００７８】
【図１】この発明の実施の形態を示すもので、光ディスク装置の外観を説明するために示す斜視図。
【図２】同実施の形態における光ディスク装置の信号処理系を説明するために示すブロック構成図。
【図３】ＤＶＤ−ＶＲ規格におけるＭ＿ＶＯＢＩに関する部分のデータ構造を説明するために示す図。
【図４】同ＤＶＤ−ＶＲ規格におけるＭ＿ＶＯＢＩの中のＴＭ＿ＥＮＴの詳細を説明するために示す図。
【図５】同ＤＶＤ−ＶＲ規格におけるＭ＿ＶＯＢＩの中のＶＯＢＵ＿ＥＮＴの詳細を説明するために示す図。
【図６】同ＤＶＤ−ＶＲ規格におけるＴＭ＿ＥＮＴとＶＯＢＵ＿ＥＮＴとの関係を説明するために示す図。
【図７】同ＤＶＤ−ＶＲ規格におけるストリームの一般的な構造を説明するために示す図。
【図８】同実施の形態におけるストリーム内のＲＤＩ＿ＰＣＫの内容を説明するために示す図。
【図９】同実施の形態におけるＲＤＩ＿ＰＣＫ内にＶＯＢＵ＿ＥＮＴを配置する動作を説明するために示すフローチャート。
【図１０】同実施の形態におけるストリームからＴＭ＿ＥＭＴを復元する動作を説明するために示すフローチャート。
【図１１】同実施の形態におけるＶＯＢＵ＿ＥＮＴからＴＭ＿ＥＮＴを生成する動作を説明するために示すフローチャート。
【符号の説明】
【００７９】
１１…光ディスク装置、１２…キャビネット、１３…前面パネル、１４…ディスクドライブ部、１５…電源キー、１６…表示部、１７…操作部、１８…アンテナ、１９…チューナ部、２０…映像Ａ／Ｄ変換回路、２１…音声Ａ／Ｄ変換回路、２２…外部入力端子、２３…ＭＰＥＧエンコーダ、２４…記録再生制御回路、２５…ＨＤＤ部、２６…光ディスク、２７…ＭＰＥＧデコーダ、２８…映像エンコーダ、２９…映像出力端子、３０…音声Ｄ／Ａ変換回路、３１…音声出力端子、３２…ＣＰＵ、３３…ＲＯＭ、３４…ＲＡＭ、３５…タイマ、３６…入出力端子、３７…インターフェース回路。
【図１】
2005108316.tif 000003
【図２】
2005108316.tif 000004
【図３】
2005108316.tif 000005
【図４】
2005108316.tif 000006
【図５】
2005108316.tif 000007
【図６】
2005108316.tif 000008
【図７】
2005108316.tif 000009
【図８】
2005108316.tif 000010
【図９】
2005108316.tif 000011
【図１０】
2005108316.tif 000012
【図１１】
2005108316.tif 000013